(57)【要約】本開示の実施形態は、リング保護装置に向けられる。リング保護装置は、リングを少なくとも部分的に覆うためにシェル・レイヤを有することができる。リング保護装置は、収容セグメントを含んでいるシェル・レイヤを有することができる。シェル・レイヤのセグメントは、ヒンジ機構を介して他のセグメントに接続していることができる。シェル・セグメントおよびヒンジ機構は、リングを覆って、それを損傷から保護するように構成されることができる。シェル・レイヤは、リング保護機能を補助するためにシール層に接続していることができる。ヒンジ機構は、リング保護装置にリングを出し入れするために開閉されることができる。【選択図】図３Ｂ
2016512710.tif 000002
【特許請求の範囲】
【請求項１】
リング保護装置であって、
リングを少なくとも部分的に覆うように構成されるシェル、および、
開位置と閉位置との間で前記シェルを動かすように構成されるヒンジ機構、
を備える、リング保護装置。
【請求項２】
前記シェルは、硬質材料で形成される、請求項１に記載のリング保護装置。
【請求項３】
前記シェルは、前記閉位置にあるときに、前記シェルを強化するために留め金機構を含む、請求項１に記載のリング保護装置。
【請求項４】
トラッキング装置機構をさらに備える、請求項１に記載のリング保護装置。
【請求項５】
前記シェルは、前記リング全体を完全に覆う、請求項１に記載のリング保護装置。
【請求項６】
前記シェルに接続したシール層をさらに備え、前記シール層は、前記リングが装着されているときに前記リングへの液体アクセスを減少させるために人の皮膚に接触するように構成される、請求項１〜５のいずれか１項に記載のリング保護装置。
【請求項７】
前記シェルは、前記リングの１つ以上の主要な石を収容する前記リングの一部を保護するように構成される収容区画を備える、請求項１〜５のいずれか１項に記載のリング保護装置。
【請求項８】
前記収容区画は、前記シェルの残余から着脱可能である、請求項７に記載のリング保護装置。
【請求項９】
人間の指に装着されるリングを保護するためのリング保護装置であって、
リングが装着されているときに、前記リングを少なくとも部分的に囲むように構成されるシェル、および、
前記シェルに接続したシール層であって、前記シール層は、前記リングが装着されているときに前記リングへの液体アクセスを減少させるために人の皮膚に接触するように構成される、シール層、
を備える、リング保護装置。
【請求項１０】
前記シェルは、硬質材料で形成される、請求項９に記載のリング保護装置。
【請求項１１】
前記シェルは、前記リングに接触しないように構成される、請求項９に記載のリング保護装置。
【請求項１２】
開位置と閉位置との間で前記シェルを動かすように構成されるヒンジ機構をさらに備える、請求項９〜１１のいずれか１項に記載のリング保護装置。
【請求項１３】
前記閉位置にあるときに、前記シェルを強化するための留め金機構をさらに備える、請求項１２に記載のリング保護装置。
【請求項１４】
前記シェルは、前記リングの１つ以上の主要な石を収容する前記リングの一部を保護するように構成される収容区画を備える、請求項９に記載のリング保護装置。
【請求項１５】
前記収容区画は、前記シェルの残余から着脱可能である、請求項１４に記載のリング保護装置。
【請求項１６】
前記収容区画は、第１の収容区画であり、前記第１の収容区画は、第２の収容区画と交換可能である、請求項１５に記載のリング保護装置。
【請求項１７】
前記第１の収容区画は、前記第２の収容区画のサイズまたは材料と異なるサイズまたは材料を有する、請求項１６に記載のリング保護装置。
【請求項１８】
人間の指に装着されるリングを保護するためのリング保護装置であって、
リングが装着されているときに、前記リングを少なくとも部分的に囲むように構成されるシェルであって、前記シェルは、前記リングの１つ以上の主要な石を収容する前記リングの一部を保護するように構成される収容区画を備える、シェル、および、
前記シェルに接続したシール層であって、前記シール層は、前記リングへの液体アクセスを減少させるために人の皮膚に接触するように構成される、シール層、
を備える、リング保護装置。
【請求項１９】
前記シール層は、活動または外側の接触に起因したユーザの指上での前記リング保護装置の移動を防止するようにさらに構成される、請求項１８に記載のリング保護装置。
【発明の詳細な説明】
【技術分野】
【０００１】
［優先権主張出願の参照による組み込み］
この出願は、「ＲＩＮＧ  ＰＲＯＴＥＣＴＩＯＮ  ＤＥＶＩＣＥ」と題する２０１３年３月１５日出願の米国仮特許出願番号第６１／７９１，３３５号の利益を請求する。そしてその全部は、参照により本明細書に組み込まれる。
【０００２】
［技術分野］
本開示は、一般に、ユーザのリングを少なくとも部分的に覆うために用いることができるリング保護装置に関する。
【背景技術】
【０００３】
［関連技術の説明］
多くの人々にとって、リングは、高い量の感情的なおよび／または金銭的な価値を担う。多くの場合、リングは、長期間にわたって高い頻度で装着される。（液体、固体、およびガスによる直接接触を経た）高度の損傷または損失へのリングの露出も防止する一方で、リングを一貫して装着することは、ほとんど不可能でありえる。これらの毎日時々の活動は、多くの他の間に、シャワーを浴びること、皿洗い、および運動を含む。リングの価値を与えられて、所有者は、しばしば、リングを装着し続けることに決める。そして、リングをさらなる損傷にさらす。代わりに、損傷を回避するためにユーザが頻繁にそれらの手からリングを取り外すことに決める場合、次いで、リングは、損失のより高い可能性にさらされる。事実、この正確な理由のためのそれらのリングへの損傷および／または損失から守るために、保険証券を購入する少なくとも何十万人もの個人がいる。
【発明の概要】
【課題を解決するための手段】
【０００４】
特定の実施形態において本明細書に開示されるのは、リング保護装置である。いくつかの実施形態では、リング保護装置は、リングを少なくとも部分的に覆うように構成されるシェル、および、開位置と閉位置との間でシェルを動かすように構成されるヒンジ機構、を備えることができる。
【０００５】
いくつかの実施形態では、シェルは、硬質材料で形成されることができる。いくつかの実施形態では、シェルは、閉位置にあるときに、シェルを強化するために留め金機構を含むことができる。いくつかの実施形態では、リング保護装置は、トラッキング装置機構をさらに備えることができる。いくつかの実施形態では、シェルは、リング全体を完全にのみ込むことができる。
【０００６】
また、人間の指に装着されるリングを保護するためのリング保護装置であって、リングが装着されているときに、リングを少なくとも部分的に囲むように構成されるシェル、および、シェルに接続したシール層であって、シール層は、リングが装着されているときにリングへの液体アクセスを減少させるために人の皮膚に接触するように構成される、シール層、を備える、リング保護装置も、本明細書において開示される。
【０００７】
いくつかの実施形態では、シェルは、硬質材料で形成されることができる。いくつかの実施形態では、シェルは、リングと接触しないように構成されることができる。
【０００８】
いくつかの実施形態では、リング保護装置は、開位置と閉位置との間でシェルを動かすように構成されるヒンジ機構をさらに備えることができる。いくつかの実施形態では、リング保護装置は、閉位置にあるときに、シェルを強化するために留め金機構をさらに備えることができる。
【０００９】
いくつかの実施形態では、前記シェルは、リングの１つ以上の主要な石を収容するリングの一部を保護するように構成される収容区画を備えることができる。いくつかの実施形態では、前記収容区画は、シェルの残余から着脱可能でありえる。いくつかの実施形態では、収容区画は、第１の収容区画でありえて、第１の収容区画は、第２の収容区画と入れ替え可能でありえる。いくつかの実施形態では、第１の収容区画は、第２の収容区画のサイズまたは材料と異なるサイズまたは材料を有することができる。
【００１０】
また、人間の指に装着されるリングを保護するためのリング保護装置であって、リングが装着されているときに、リングを少なくとも部分的に囲むように構成されるシェルであって、シェルは、リングの１つ以上の主要な石を収容するリングの一部を保護するように構成される収容区画を備える、シェル、および、シェルに接続したシール層であって、シール層は、リングへの液体アクセスを減少させるために人の皮膚に接触するように構成される、シール層、を備える、リング保護装置も、本明細書において開示される。
【００１１】
いくつかの実施形態では、前記シール層は、活動または外側の接触に起因したユーザの指上でのリング保護装置の移動を防止するようにさらに構成されることができる。
【００１２】
本明細書に記載されたリング保護装置を利用するかまたは装着する方法も、考察される。
【図面の簡単な説明】
【００１３】
【図１Ａ】図１Ａは、リング保護装置の実施形態の斜視図を例示する。
【図１Ｂ】図１Ｂは、リング保護装置の実施形態の斜視図を例示する。
【図１Ｃ】図１Ｃは、リング保護装置の実施形態の斜視図を例示する。
【図２Ａ】図２Ａは、異なる位置のおよび異なる観点からのリング保護装置の実施形態を例示する。
【図２Ｂ】図２Ｂは、異なる位置のおよび異なる観点からのリング保護装置の実施形態を例示する。
【図２Ｃ】図２Ｃは、異なる位置のおよび異なる観点からのリング保護装置の実施形態を例示する。
【図２Ｄ】図２Ｄは、異なる位置のおよび異なる観点からのリング保護装置の実施形態を例示する。
【図２Ｅ】図２Ｅは、異なる位置のおよび異なる観点からのリング保護装置の実施形態を例示する。
【図３Ａ】図３Ａは、異なる位置のおよび異なる観点からのリング保護装置の実施形態のコンポーネントを例示する。
【図３Ｂ】図３Ｂは、異なる位置のおよび異なる観点からのリング保護装置の実施形態のコンポーネントを例示する。
【図３Ｃ】図３Ｃは、異なる位置のおよび異なる観点からのリング保護装置の実施形態のコンポーネントを例示する。
【図３Ｄ】図３Ｄは、異なる位置のおよび異なる観点からのリング保護装置の実施形態のコンポーネントを例示する。
【発明を実施するための形態】
【００１４】
本明細書に記載されたいくつかの実施形態は、能動的なまたは受動的な行為または活動の間、人のリングを保護するためのリング保護装置に関する。いくつかの実施形態は、ユーザが人々および／または壊れやすい材料をユーザのリングの鋭いエッジから保護することを可能にする。いくつかの実施形態は、リングの所有者がそれを装着しない間、彼または彼女のリングを保護しておよび／または追跡することを可能にするリング保護装置に関する。いくつかの実施形態は、リング保護装置がユーザの１本の手によって容易につけられることを可能にする。
【００１５】
特に能動的な行為の間、リングおよび宝石を損傷する、黒ずむ、ひっかき傷がつく、または無くすことから保護するために、個人によって装着されてもよいリング保護装置の実施形態は、本明細書において開示される。開示されたリング保護装置の実施形態は、液体（例えば油、水、および他の液状化学品）がその周辺部に入ることから同時に制限する一方で、リングを外側の接触から効果的に保護することができる。いくつかの実施形態では、装置は、液体、空気、または粉不浸透性のシールを有することができる。活動ベースの動きの間さえ、リング保護装置の実施形態は、ユーザの指上に気持ちよくフィットするように設計されることもできる。さらに、リング保護装置の実施形態は、概してユーザの指を差し込むように構成されることができるので、それは、シャワーを浴びるかまたは発汗する間、とれない。
【００１６】
開示されたリング保護装置の実施形態は、ユーザが彼または彼女の指からそれを取り外すときに、リングを保護しておよび／または追跡するために用いることができる。リング保護装置の実施形態は、リングが特定の距離を離れるときにユーザを警戒させる（例えば光、音、または振動）ことによって、リングの紛失を防止することができ、そして、リングの縁を望ましくない接触から保護することによって、損傷を防止することもできる。これは、装置、したがってリングの窃盗を阻止するために有利でもよい。
【００１７】
本明細書に記載されたのは、リング、そしてしばしば時間、価値あるリングに損害または紛失の危険度を非常に減少させるリング保護装置のさまざまな実施形態である。リングは、環状路でありえる。さらに、リングは、さまざまな材料（例えば金、プラチナ、銀、宝石、結晶、および石）から作られる宝石リングでありえる。
【００１８】
図１Ａ−図１Ｃは、リング保護装置１００の実施形態を示す。リング保護装置１００は、シェル、ケースまたはレイヤ１０２を含むことができる。材料の種類は制限しないが、シェル１０２は、保護材（例えばプラスチック、金属またはセラミック）から作られることができる。いくつかの実施形態では、シェルが負荷の下で実質的には変形しないように、保護材は、硬質かまたは半硬質のものでありえる。いくつかの実施形態では、保護材は、衝撃を吸収するために軽い弾力性を有することができる。弾性係数が制限しないが、例えば、保護材は、少なくとも１ＧＰａの弾性係数を有することができる。さらに、硬度は制限しないが、保護材は、比較的高い硬度を有することができる。いくつかの実施形態では、保護材は、透明または半透明であることもできる。いくつかの実施形態では、保護材は、不透明でありえる。いくつかの実施形態では、保護材は、いくらかの部分において透明または半透明でありえて、その他において不透明でありえる。いくつかの実施形態では、シェル１０２は、リング１１０を、完全に、実質的に、または少なくとも部分的に、囲むことができるか、覆うことができるか、カプセル化することができるか、またはカバーすることができる。例えば、シェル１０２は、環状路でありえるか、または概して環状でありえる。そして、シェル１０２の形状は、制限しない。環状路は、連続的でもよく、または連続的でなくてもよい。
【００１９】
リング保護装置１００のいくつかの実施形態は、開位置から閉位置まで装置１００が前後に移動するのを助けるヒンジ１０４および／または留め金機構１０６を含む。例えば、環状路は、隙間、切れ目または不連続を有してもよい。環状路は、環状路の２つ以上のセグメントを形成するために、２つ以上の不連続を有してもよい。セグメントは、別々のコンポーネントであることができる。セグメントは、ヒンジ１０４および／または留め金機構１０６と一緒に結合されることができる。例えば、第１のセグメント１０３および第２のセグメント１０５が不連続のまわりに回転することができるように、ヒンジ１０４は、不連続で第１のセグメント１０３および第２のセグメント１０５に結合されることができる。留め金機構１０６は、不連続に隣接して第１のセグメント１０３に結合されることができる。そして、第１および第２のセグメント１０３／１０５を一緒にロックして、アンロックするために、留め金機構１０６は、第２のセグメント１０５に着脱自在に結合されることができる。ヒンジ１０４および留め金機構１０６は、装置１００上に交換して使用されることができて、その位置および付属部品は制限しない。
【００２０】
シェル１０２は、シェル１０２の内側に開口またはスロット１０８を有することができる。いくつかの実施形態では、シェル１０２は、環状ドーム形状を有することができる。いくつかの実施形態では、シェル１０２は、環状のシェル１０２の内側に環状スロット１０８を有することができる。サイズは制限しないが、スロット１０８は、その中に配置されるリング１１０を有するためのサイズでありえる。いくつかの実施形態では、スロット１０８は、適所にリング１１０を保つために、少なくとも１つのロック・クリップを含むことができる。
【００２１】
リング保護装置１００は、シェル１０２に結合されるシール層１１２を含むことができる。装置１００に対するシール層１１２のカップリングは、制限しない。そして、機械的および／または化学的カップリングは、用いられることができる。いくつかの実施形態では、シール層１１２は、スロット１０８に隣接していることができる。例えば、シール層１１２は、シェル１０２の最も内側の表面上にあることができる。このように、シール層１１２は、シェル１０２とユーザの指との間に挟まれていることができて、および／または、シェル１０２とリング１１０との間に挟まれていることができる。さらに、シール層１１２は、スロット１０８の両側に隣接していることができる。従って、シール層１１２は、２つの別々の部分を含むことができる。いくつかの実施形態では、シール層１１２は、シェル１０２の環状路のまわりで実質的に連続的でありえる。したがって、シール層１１２は、環状路または概して環状路であることができる。いくつかの実施形態では、シール層１１２は、シェル１０２の環状路のまわりで実質的に連続的でなくてもよい。シール層１１２は、リング１１０への液体アクセスを減少させるように構成されることができる。したがって、使用中に、スロット１０８は、シェル１０２の外側から流体的に（例えば液体的に）実質的に分離されることができる。シェル１０２とユーザの指との間に良好なシールを提供するために、シール層１１２は、弾性的に変形可能な材料から形成されることができる。例えば、シール層１１２は、ポリマー、ゴム、フォーム、またはフォーム様の材料であることができる。そして、材料の種類は、制限しない。さらに、シール層１１２は、ヒンジ１０４および／または留め金機構１０６を有する機能（例えば、ファスナ）に適していることができる。例えば、シール層１１２は、シェル１０２のそれと類似の不連続を有することができる。
【００２２】
シェル１０２は、１つ以上の石を収容するリング１１０の一部を囲むか、覆うか、カプセル化するか、またはカバーするように構成される収容区画１１４を含むこともできる。石を収容するリング１１０の部分が残りのリング１１０よりも大きい傾向があるので、収容区画１１４は、残りのシェル１０２よりも大きく（例えば、より厚く、より広く、および／またはより高く）なることができる。さらに、上記の通りに、シール層１１２は、シェル１０２の収容区画１１４に取り付けられることもできる。収容区画１１４は、残りのシェル１０２から別々であるように構成されることができる。
【００２３】
リング保護装置１００は、リング１１０に接触するように構成される保護層を含むこともできる。例えば、保護層は、スロット１０８および／または収容区画１１４の中にあることができる。材料の種類は制限しないが、保護層は、フォーム、フォーム様の材料、形状記憶フォーム、または弾性材料であることができるか、またはそれから形成されることができる。保護層は、リング１１０にフィットする形に変形してもよい。
【００２４】
リング保護装置１００は、対称形でありえるか、または非対称でありえる。例えば、一部のユーザは、指関節に隣接してまたはそれの近くにリング１１０を装着してもよい。リング１１０は、ユーザの指の指関節に隣接してまたはそれの近くに装着されるように構成されてもよい。例えば、ユーザの指関節に最も近いリング保護装置１００の側（例えば、シェル１０２、シール層１１２）が、ユーザの指関節から最も遠いリング保護装置１００の側よりも異なって構成されてもよくておよび／または形づくられてもよいように、リング保護装置１００は、非対称でもよい。リング保護装置１００の他の部分は、例えば指にかなうために非対称でもよい。
【００２５】
リング保護装置１００およびリング１１０自体を見るのを助けるために、リング保護装置１００は、１つ以上の電球（例えばＬＥＤ（発光ダイオード）または蛍光）を含むこともできる。電球の個数および種類は、制限しない。
【００２６】
リング保護装置１００は、ユーザがリング１１０を装着しない間、リング１１０を覆うために用いることができる。ユーザが彼または彼女のリング１１０の位置の追跡を続けるのを援助するために、リング保護装置１００は、１つ以上のトラッキング装置（例えばＧＰＳ）を含むことができる。トラッキング装置の種類は、制限しない。
【００２７】
図２Ａは、単一のヒンジ１０４を組み込んでいるヒンジ機構を有する開位置におけるリング保護装置１００の実施形態の正面の断面図を示す。
【００２８】
図２Ｂは、シェル１０２もシール層１１２もユーザのリングバンドに接触しない、図２Ａに示されるリング保護装置１００の実施形態の側面の断面図を示す。
【００２９】
図２Ｃは、シェル１０２が閉位置にあり、そして、さらなる安定性のためのリングバンドと接触するように構成される、図２Ａに示されるリング保護装置１００の実施形態の正面の断面図を示す。
【００３０】
図２Ｄは、はめ込み形端部を有する留め金機構１０６の１つの可能なタイプを用いるリング保護装置１００の実施形態の断面図を示す。雌の留め金端部は、左に１０６として示される。そして、雄の留め金端部は、右に１０６として示される。雌の留め金端部は、第１の部分１０３または第２の部分１０５のいずれかに置かれることができる。そして、雄の留め金端部は、雌の留め金端部のように反対の部分に置かれることができる。
【００３１】
図２Ｅは、装置が閉位置にあるときに、ヒンジ１０４または留め金１０６のラインを有するリング保護装置１００の実施形態の側面の断面図を示す。断面部分が装置１００の中心を切り下ろすにつれて、図２Ｅのより軽い灰色のシェードは、装置１００の実際の切断を示す。一方、暗いシェードは、切断されていない装置１００の側面図を示す。
【００３２】
図３Ａ−図３Ｄは、リング保護装置１００のさらなる実施形態を示す。図３Ａ−図３Ｂに示されて、上で記載されたように、リング保護装置１００は、概して環状の形状を有することができる。図３Ａは、閉じた構成のリング保護装置１００の実施形態を例示する。図３Ｂは、開いた構成の図３Ａのリング保護装置１００の実施形態を例示する。示すように、いくつかの実施形態では、シェル１０２は、３つのセグメント３０２、３０４および３０７に分割されることができる。いくつかの実施形態では、シェル１０２は、３つ以上のセグメントに分割されることができる。そして、セグメントの個数は制限しない。セグメント３０２／３０４の各々は、収容区画１１４に接続していることができる収容セグメント３０７に取り付けることができる。いくつかの実施形態では、セグメント３０２／３０４は、次いで、留め金機構１０６を通して互いに取り付けることができる。いくつかの実施形態では、留め金機構１０６は、セグメント３０２／３０４の一部であることができる。図３Ｂに示すように、装置１００が開いた所で、両セグメント部分３０２／３０４は、互いに離れて回転することができる。したがって、リング１１０は、開いた留め金機構１０６を通って挿入されることができて、スロット１０８に挿入されることができる。いくつかの実施形態では、セグメント３０２／３０４は、それらが通常、９０°、１００°、１１０°、１２０°、１３０°、１４０°、１５０°、１６０°、１７０°、または１８０°離れるようにヒンジ１０４のまわりに回転することができる。しかし、この角度は制限しない。いくつかの実施形態では、セグメント３０２／３０４／３０７の各々は、通常、円の１／４、円の１／２、または円の３／４でありえる。
【００３３】
図３Ａ−図３Ｂにおいて、セグメント３０２／３０４は、シェル１０２に隙間３２０を含む。下にあるシール層１１２は、シェル１０２および／またはセグメント３０２／３０４における隙間３２０を埋めることができる。いくつかの実施形態では、セグメント３０２／３０４は、シール層１１２の外側周辺で完全に延びることができて、隙間３２０を除去することができる。したがって、いくつかの実施形態では、リングが指上の閉位置にあるときに、シール層１１２は、見えなくてもよい。いくつかの実施形態では、シール層１１２は、留め金機構１０６の端部を通じて延びることができる。いくつかの実施形態では、シール層１１２は、装置１００のいくらかの部分においてより厚く、そしてその他においてより薄くなることができる。例えば、シール層１１２は、閉位置においてほぼ９０°離れるセグメント３０２／３０４周辺に比べて、収容区画１１４の下でより薄くなることができる。
【００３４】
図３Ｃ−図３Ｄは、リング保護装置１００の実施形態の異なるコンポーネントのより詳細な視点を例示する。
【００３５】
図３Ｃは、収容区画１１４の下に位置する一対のヒンジ１０４を有する収容セグメント３０７の実施形態を例示する。いくつかの実施形態では、ヒンジ１０４の種類は制限しないが、ヒンジ１０４は、概して、ある場所のままに構成されるスナップ・ヒンジでありえる。いくつかの実施形態では、収容セグメント３０７は、シール層１１２を含むことができる。いくつかの実施形態では、収容区画１１４は、通常、両ヒンジ１０４間に中央に置かれることができる。いくつかの実施形態では、収容区画１１４は、両ヒンジ１０４の間に中央に置かれない。いくつかの実施形態では、他の種類の回転接続がセグメント３０７とセグメント３０２／３０４との間に用いられることができる。そして、回転の種類または手段は制限しない。いくつかの実施形態では、収容セグメント３０７およびセグメント３０２／３０４のシール層１１２は、ヒンジ１０４が閉じるときに重なることができる。それにより、ユーザの指上に概して継ぎ目のない３６０°のシールを作る。
【００３６】
いくつかの実施形態では、収容区画１１４は、色またはパターンを含むために飾られることができる。いくつかの実施形態では、収容区画１１４は、概して矩形の形状でありえる。しかしながら、収容区画１１４の形状は、制限しない。例えば、収容区画１１４は、一般に丸くなることがありえるか、一般に円の形状でありえるか、または一般に三角の形状でありえる。いくつかの実施形態では、収容区画１１４は、リング１１０上の具体的な大きさの石を保持するように構成されることができる。いくつかの実施形態では、収容区画１１４は、ユーザを負傷させないように、概して滑らかな角を有することができる。いくつかの実施形態では、図３Ａ−図３Ｂに示すように、収容区画１１４は、ヒンジ１０４の範囲内で適合するように構成されることができる。いくつかの実施形態では、収容区画１１４の内側は、リング１１０を保護するためにシール層１１２を含むことができる。いくつかの実施形態では、収容区画１１４は、収容セグメント３０７と一体的に形成されることができる。いくつかの実施形態では、収容区画１１４は、収容セグメント３０７から着脱自在に、または非着脱自在に、取り付けられることができる。いくつかの実施形態では、シェル１０２は、収容セグメント３０７だけから成ることができて、そして、ユーザの指のまわりを最大３６０°包むことができるシール層１１２に取り付けられることができるかまたはモールドされることができる。いくつかの実施形態では、シェル１０２は、ヒンジ１０４または留め金１０６を用いてシール層１１２に直接取り付けられる（例えば、オーバーモールドされる）ことができる。取付け技術は、制限しない。さらに他の実施形態では、シェル１０２は、セグメント３０２／３０４だけから成ることができて、そして、ユーザの指のまわりを最大３６０°包むことができるシール層１１２に取り付けられることができるかまたはモールドされることができる。
【００３７】
図３Ｄは、留め金１０６の実施形態を例示する。いくつかの実施形態では、留め金１０６は、より大きなセグメント（図３Ａのセグメント３０２／３０４参照）の一部である。いくつかの実施形態では、留め金１０６は、それ自身のセグメントであることもできる。示すように、留め金は、ボタン３０６または他の駆動機構を含むことができる。そしてそれは、留め金１０６を解除することができる。留め金１０６は、雄３１４および雌の３１２のコンポーネントを含むことができる。ボタン３０６は、いずれのコンポーネントにも置かれることができる。いくつかの実施形態では、雌コンポーネント３１２は、雄コンポーネント３１４を受容して保持するように構成されることができる。しかしながら、留め金の異なる構成（例えば、フック、磁気的または摩擦的保持を含んでいるそれら）が使用されることができると、当業者は理解する。そして、留め金の種類は制限しない。いくつかの実施形態では、留め金１０６が閉じるときに、セグメント３０２／３０４のシール層１１２は、留め金１０６に達することができて、重なることができる。それにより、ユーザの指上に概して継ぎ目のないシールを作る。
【００３８】
いくつかの実施形態は、添付図面に関連して記載された。図は、あるスケールで描画される。しかし、この種のスケールは、制限してはならない。というのも、示される以外の寸法および比率は、考察されて、開示される発明の範囲内であるからである。距離、角度、等は、単に図示するだけであり、例示される装置の実寸法およびレイアウトの正確な関係を必ずしももつわけではない。コンポーネントは、追加されることができて、除去されることができて、および／または、再編成されることができる。さらに、さまざまな実施形態に関連したいかなる特定の特徴、態様、方法、特性、特徴、品質、属性、要素、等の本明細書の開示も、本明細書に記載される他の全ての実施形態において用いることができる。加えて、本明細書に記載されたいかなる方法も、詳述されたステップを実行するために適した任意の装置を使用して実行されることができると認識される。
【００３９】
革新のさまざまな実施形態が記載されたとはいえ、多くのさらなる実施形態および実施態様が革新の範囲内で可能であることは、当業者にとって明らかである。したがって、添付の請求の範囲または将来提供されてよい請求項およびそれらの等価物の観点を除いて、革新は、制限されるべきでない。
【図１Ａ】
2016512710.tif 000003
【図１Ｂ】
2016512710.tif 000004
【図１Ｃ】
2016512710.tif 000005
【図２Ａ】
2016512710.tif 000006
【図２Ｂ】
2016512710.tif 000007
【図２Ｃ】
2016512710.tif 000008
【図２Ｄ】
2016512710.tif 000009
【図２Ｅ】
2016512710.tif 000010
【図３Ａ】
2016512710.tif 000011
【図３Ｂ】
2016512710.tif 000012
【図３Ｃ】
2016512710.tif 000013
【図３Ｄ】
2016512710.tif 000014
【国際調査報告】
2016512710.tif 000015
2016512710.tif 000016